(57)【要約】【課題】フィット性に優れると共に、長手方向における後方領域の端部からの液状排泄物の漏れを抑制することが可能な吸収性物品を提供する。【解決手段】吸収性物品１は、平面視にて、着用時に着用者の股間部に対向する中央領域ＡＣと、中央領域の長手方向の後方側に隣接する後方領域ＡＢと、を有し、後方領域において表面シート２及び吸収体４を一体化する圧搾部１４を備える。  圧搾部は、平面視にて、長手方向中心線に対して非対称な形状を有し、長手方向中心線と交差する、少なくとも一つの交差部Ｐ１、Ｐ２を含む。吸収性物品は、平面視にて、少なくとも一つの交差部のうちの中央領域側の交差部を、長手方向に沿って跨ぐように延設され、剛性が相対的に低い長手方向低剛性部ＬＢ５を備える。【選択図】図１
0003222875.tif 000002
【実用新案登録請求の範囲】
【請求項１】
長手方向と、幅方向と、を有し、前記幅方向の中心を通り前記長手方向に延びる長手方向中心線と、前記長手方向の中心を通り前記幅方向に延びる幅方向中心線と、を有し、表面シートと、裏面シートと、前記表面シートと前記裏面シートとの間に位置する吸収体と、を備えた吸収性物品であって、
前記吸収性物品は、
平面視にて、着用時に着用者の股間部に対向する中央領域と、前記中央領域の前記長手方向の後方側に隣接する後方領域と、を有し、
前記後方領域において前記表面シート及び前記吸収体を一体化する圧搾部を備え、
前記圧搾部は、平面視にて、
前記長手方向中心線に対して非対称な形状を有し、
前記長手方向中心線と交差する、少なくとも一つの交差部を含み、
前記吸収性物品は、
平面視にて、前記少なくとも一つの交差部のうちの前記中央領域側の前記交差部を、前記長手方向に沿って跨ぐように延設され、剛性が相対的に低い長手方向低剛性部を備える、
吸収性物品。
【請求項２】
前記長手方向低剛性部は、前記長手方向において、少なくとも、前記長手方向中心線と前記圧搾部とが前記幅方向に重なる範囲に形成されている、
請求項１に記載の吸収性物品。
【請求項３】
前記長手方向低剛性部は、前記吸収体における坪量が相対的に低い低坪量部で形成されている、
請求項１又は２に記載の吸収性物品。
【請求項４】
前記後方領域において、前記長手方向低剛性部における前記幅方向の両側に、前記長手方向低剛性部から離間するように、前記幅方向中心線に平行に延設され、剛性が相対的に低い幅方向低剛性部を更に備える、
請求項１乃至３のいずれか一項に記載の吸収性物品。
【請求項５】
前記幅方向低剛性部は、前記吸収体における坪量が相対的に低い他の低坪量部で形成されている、
請求項４に記載の吸収性物品。
【請求項６】
前記長手方向低剛性部の前記幅方向の寸法は、前記圧搾部の幅の寸法よりも大きい、
請求項１乃至５のいずれか一項に記載の吸収性物品。
【請求項７】
前記圧搾部は、平面視で、環状の形状を有する、
請求項１乃至６のいずれか一項に記載の吸収性物品。
【請求項８】
前記圧搾部は、前記環状の形状の一部に、前記環状の形状の内側又は外側へ凸となる少なくとも二つの凸部分を有する、
請求項７に記載の吸収性物品。
【請求項９】
前記吸収体における前記交差部に対応する非肌面側の表面に、肌側に向かって窪んだ窪み部を有する、
請求項１乃至８のいずれか一項に記載の吸収性物品。
【考案の詳細な説明】
【技術分野】
【０００１】
本考案は吸収性物品に関する。
【背景技術】
【０００２】
吸収性物品の着用者から排泄される液状の排泄物が吸収性物品の長手方向の端部から漏洩することを抑制する吸収性物品が知られている。例えば、特許文献１には、液状排泄物の漏洩を抑制するための圧縮溝が形成された吸収性物品が開示されている。その圧搾溝は、吸収性物品の長手方向の中央部に位置する排泄口当接領域において長手方向に沿って配置された一対の第１中央溝と、排泄口当接領域の前方又は後方の位置する前方領域又は後方領域に配置された第１環状溝と、を備える。この吸収性物品では、第１環状溝により、排泄口当接領域から前方領域又は後方領域に流れる液状排泄物をその内側に引き込んで外側に移行し難くすることができる。よって、長手方向の端部からの液状排泄物の漏洩を抑制できる。
【先行技術文献】
【特許文献】
【０００３】
【特許文献１】特開２０１２−５０６９９号公報
【考案の概要】
【考案が解決しようとする課題】
【０００４】
ところで、吸収性物品は、着用者の股間部に接触しながら長時間にわたって着用されるものであるため、着用者に違和感や不快感などを生じさせないように、着用者の身体形状に追従して変形し易い（すなわち、フィット性に優れる）ことが好ましい。例えば、着用時に、着用者の股間部に対向する中央領域（排泄口当接領域を含む）に、幅方向の長手方向中心線側に向かう圧力がかかると、中央領域及びその近傍の表面シートや吸収体が長手方向中心線側へ寄せ付けられる。その結果、中央領域及び後方領域が、着用者側に突出した状態、すなわち表面シート側から見て山折りの状態になり得る。その場合、着用者に対するフィット性が向上できる。
また、長手方向の端部、例えば後方側の端部からの液状排泄物の漏洩を抑制する圧搾部としては、後方領域に、長手方向中心線に交差するように配置された圧搾溝が考えられる。長手方向中心線に交差する圧搾溝は、長手方向の後方側へ向かう液状排泄物の流れを幅方向に拡げて、吸収体の幅広い領域に液状排泄物を吸収させて、後方側の端部からの液状排泄物の漏洩を抑制し得る。そのような圧搾部の形状として、目的や用途に応じた様々な形状が考えられ、例えば、曲線や直線やそれらを組み合わせた形状、環状の形状などが挙げられ、長手方向中心線に対して平面視で非対称な形状（長手方向中心線に対して線対称でない形状）も含まれる。例えば、特許文献１では、吸収性物品にかわいらしさを付与して着用者の生理時の憂鬱な気分を和らげるために、花やハートなどの形状を用いている。また、例えば、吸収性物品の製造時に、吸収性物品の幅方向が搬送方向ＭＤと平行になるように搬送するとき、圧搾部が幅方向にずれる場合に対処するために圧搾部の形状を非対称にすることがある。
ここで、特許文献１において、後方領域にある圧搾溝として第１環状溝について考える。第１環状溝は少なくとも一つの屈曲点を有し、長手方向中心線と交差する屈曲点は一つ以下である。この屈曲点の配置から、第１環状溝は、長手方向中心線に対して、平面視で非対称な形状となる。例えば、特許文献１では、第１環状溝として、長手方向中心線に対して傾いて非対称に配置されたハート形状の溝が挙げられている。
このような第１環状溝に対して、上述のように中央領域や後方領域が、表面シート側から見て山折りの状態になるとき、山折りの折線は、長手方向中心線上に位置することが好ましい。その場合、山折りの頂部が臀部の割れ目に沿って位置するので、フィット性が向上すると共に、液状排泄物の漏れを抑えることが可能となる。しかし、上述のように後方領域では第１環状溝が長手方向中心線に対して非対称であるため、第１環状溝を通る折線は、第１環状溝の形状に影響されて長手方向中心線からずれるおそれがある。そうなると、山折りの頂部が臀部の割れ目からずれてしまい、着用者が違和感や不快感を覚えるなどフィット性が低下するすると共に、液状排泄物の漏れが生じるおそれがある。このことは、圧搾溝が環状溝でない場合にも当てはまる。
【０００５】
本考案の目的は、フィット性に優れると共に、長手方向における後方領域の端部からの液状排泄物の漏れを抑制することが可能な吸収性物品を提供することにある。
【課題を解決するための手段】
【０００６】
本考案の吸収性物品は次のとおりである。（１）長手方向と、幅方向と、を有し、前記幅方向の中心を通り前記長手方向に延びる長手方向中心線と、前記長手方向の中心を通り前記幅方向に延びる幅方向中心線と、を有し、表面シートと、裏面シートと、前記表面シートと前記裏面シートとの間に位置する吸収体と、を備えた吸収性物品であって、前記吸収性物品は、平面視にて、着用時に着用者の股間部に対向する中央領域と、前記中央領域の前記長手方向の後方側に隣接する後方領域と、を有し、前記後方領域において前記表面シート及び前記吸収体を一体化する圧搾部を備え、前記圧搾部は、平面視にて、前記長手方向中心線に対して非対称な形状を有し、前記長手方向中心線と交差する、少なくとも一つの交差部を含み、前記吸収性物品は、平面視にて、前記少なくとも一つの交差部のうちの前記中央領域側の前記交差部を、前記長手方向に沿って跨ぐように延設され、剛性が相対的に低い長手方向低剛性部を備える、吸収性物品。
【０００７】
本吸収性物品では、後方領域に圧搾部が形成されているので、中央領域から後方領域へ移行してきた液状排泄物が後方領域の端部から漏れることを抑制できる。そのとき、後方領域の圧搾部が長手方向中心線に対して非対称である（長手方向中心線に対して線対称でない）。しかし、長手方向低剛性部が圧搾部の交差部を長手方向に沿って跨ぐように、すなわち平面視で交差点と重なるように延設されている。ここで、長手方向低剛性部は相対的に剛性が低いため、後方領域は、長手方向低剛性部にて長手方向に沿って幅方向に折れ易い特性を有する。そのため、着用時に、中央領域及び後方領域が表面シート側から見て山折りの状態になるとき、圧搾部の交差部を跨ぐ長手方向低剛性部にて後方領域が折れて、山折りが形成される。すなわち、長手方向中心線に沿った山折りを形成することができる。それにより、山折りの頂部を臀部の割れ目の位置にすることができ、フィット性を向上できると共に、後方領域の端部からの液状排泄物の漏れを抑制できる。
【０００８】
本考案の吸収性物品は、（２）前記長手方向低剛性部は、前記長手方向において、少なくとも、前記長手方向中心線における前記圧搾部と前記幅方向に重なる範囲に形成されている、上記（１）に記載の吸収性物品、であってもよい。
本吸収性物品では、長手方向低剛性部は、長手方向中心線における、長手方向中心線と圧搾部とが幅方向に重なる範囲に形成されている。すなわち、圧搾部が長手方向中心線に射影されたときに、長手方向低剛性部は、前記長手方向中心線における、圧搾部の射影と長手方向中心線とが重なる範囲に形成されている。言い換えると、長手方向低剛性部は、圧搾部が存在する領域の長手方向の最大幅の範囲に形成されている。このように、長手方向低剛性部が十分に長いため、圧搾部の形状に拘わらず、長手方向中心線に沿った山折りを安定的に形成することができる。それにより、フィット性をより向上できる。
【０００９】
本考案の吸収性物品は、（３）前記長手方向低剛性部は、前記吸収体における坪量が相対的に低い低坪量部で形成されている、上記（１）又は（２）に記載の吸収性物品、であってもよい。
本吸収性物品では、長手方向低剛性部が吸収体の低坪量部で形成されている。そのため、後方領域を、長手方向低剛性部にて長手方向に沿って幅方向に容易に折ることができる。それにより、長手方向低剛性部において山折りをより安定的に形成することができ、フィット性をより向上できる。
【００１０】
本考案の吸収性物品は（４）前記後方領域において、前記長手方向低剛性部における前記幅方向の両側に、前記長手方向低剛性部から離間するように、前記幅方向中心線に平行に延設され、剛性が相対的に低い幅方向低剛性部を更に備える、上記（１）乃至（３）のいずれか一項に記載の吸収性物品、でもよい。
長手方向中心線に沿った山折りが後方領域に形成されると、山折りの程度によっては後方領域の端部が臀部の曲面から離れるおそれがある。それに対処するため、後方領域の端部が臀部の曲面から離れないように、後方領域において、幅方向の一方の端縁から他方の端縁まで、幅方向中心線に平行に連続的に低剛性部を形成することが考え得る。ところが、着用者の姿勢や動きによっては、その低剛性部よりも後方側の部分の動きが激しく又は大きくなり、その低剛性部分がへたってしまい、その後方側の部分の山折りが長手方向中心線からずれるおそれがある。
そこで、本吸収性物品では、長手方向低剛性部の幅方向の両側に、幅方向中心線に沿って延びる幅方向低剛性部を備え、かつ、長手方向低剛性部と幅方向低剛性部とは互いに離間させている。その幅方向低剛性部により、後方領域を臀部の曲面に沿ってより曲げ易くなり、後方領域をその端部まで臀部に接するようにすることができる。それに加えて、長手方向低剛性部と幅方向低剛性部との間が離間すること、すなわち両者の間に低剛性でない部分が存在することにより、その幅方向低剛性部がへたることを抑制でき、その後方側の部分の山折りが長手方向中心線からずれないようにすることができる。それらにより、フィット性を向上できると共に、後方領域の端部からの液状排泄物の漏れを抑制できる。
【００１１】
本考案の吸収性物品は、（５）前記幅方向低剛性部は、前記吸収体における坪量が相対的に低い他の低坪量部で形成されている、上記（４）に記載の吸収性物品、でもよい。
本吸収性物品では、幅方向低剛性部が吸収体の低坪量部で形成されている。そのため、幅方向低剛性部の低坪量部により、後方領域をより安定的に臀部に沿わせることができ、長手方向低剛性部と幅方向低剛性部との間の低剛性でない部分により、幅方向低剛性部がへたることをより抑制できる。それにより、フィット性をより向上できる。
【００１２】
本考案の吸収性物品は、（６）前記長手方向低剛性部の前記幅方向の寸法は、前記圧搾部の幅の寸法よりも大きい、上記（１）乃至（５）のいずれか一項に記載の吸収性物品、であってもよい。
本吸収性物品では、長手方向低剛性部の幅方向の寸法が圧搾部の幅の寸法（太さ）よりも大きいので、長手方向低剛性部において山折りを形成するとき、圧搾部の形状の影響をより受け難くすることができる。それにより、長手方向低剛性部において山折りをより安定的に形成することができる。それにより、フィット性をより向上できる。
【００１３】
本考案の吸収性物品は、（７）前記圧搾部は、平面視で、環状の形状を有する、上記（１）乃至（６）のいずれか一項に記載の吸収性物品、でもよい。
本吸収性物品では、圧搾部が環状の形状を有するので、液状排泄物をその内側に引き込んで外側に移行し難くすることができ、それにより、長手方向の後方側の端部からの液状排泄物の漏洩をより抑制することができる。ただし、そのとき、圧搾部の環状の領域の剛性が高くなり、後方領域が山折りの状態になり難くなるとも考え得る。しかし、本吸収性物品では、後方領域が長手方向低剛性部を備えており、圧搾部の領域の剛性の影響を受け難いため、後方領域を山折りの状態にすることができる。それらにより、フィット性をより向上できると共に、後方領域の端部からの液状排泄物の漏れをより抑制できる。
【００１４】
本考案の吸収性物品は、（８）前記圧搾部は、前記環状の形状の一部に、前記環状の形状の内側又は外側へ凸となる少なくとも二つの凸部分を有する、上記（７）に記載の吸収性物品、でもよい。
圧搾部が環状の形状の一部に、環状の形状の内側又は外側へ凸となる少なくとも二つの凸部分を有する場合、一方の凸部分と他方の凸部分との間に屈曲点が生じる。そのような圧搾部の屈曲点は山折りの基点になり易く、それゆえ、山折りの折線が長手方向中心線からずれるおそれがある。しかし、本吸収性物品では、後方領域が長手方向低剛性部を備えており、圧搾部の屈曲点の影響を受け難いため、山折りの折線が長手方向中心線に沿うような山折りの状態にすることができる。それらにより、フィット性をより向上できると共に、後方領域の端部からの液状排泄物の漏れをより抑制できる。
【００１５】
本考案の吸収性物品は、（９）前記吸収体における前記交差部に対応する非肌面側の表面に、肌側に向かって窪んだ窪み部を有する、上記（１）乃至（８）のいずれか一項に記載の吸収性物品、でもよい。
本吸収性物品では、吸収体における交差部に対応する非肌面側の表面に窪み部を有しているので、吸収体を臀部に沿って上に凸に変形し易く、後方領域をより容易に山折りの状態にすることができる。それにより、フィット性をより向上できると共に、後方領域の端部からの液状排泄物の漏れをより抑制できる。
【考案の効果】
【００１６】
本考案によれば、フィット性に優れると共に、長手方向における後方領域の端部からの液状排泄物の漏れを抑制することが可能な吸収性物品を提供できる。
【図面の簡単な説明】
【００１７】
【図１】実施形態に係る生理用ナプキンの構成例を示す平面図である。
【図２】図１のＩＩ−ＩＩ線に沿った断面図である。
【図３】図１のＩＩＩ−ＩＩＩ線に沿った断面図である。
【図４】実施形態に係る生理用ナプキンの作用効果を説明する模式図である。
【図５】実施形態に係る生理用ナプキンの作用効果を説明する模式図である。
【図６】実施形態に係る生理用ナプキンの製造装置の構成例を示す模式図である。
【図７】実施形態に係る生理用ナプキンの他の構成例を示す平面図である。
【図８】実施形態に係る生理用ナプキンの更に他の構成例を示す平面図である。
【考案を実施するための形態】
【００１８】
実施形態に係る吸収性物品について生理用ナプキンを例に説明する。ただし本考案の吸収性物品の種類及び用途はその例に限定されるものでは無く、本考案の主題の範囲を逸脱しない限り、他の吸収性物品に対しても適用可能である。他の吸収性物品としては、例えばパンティライナー、軽失禁パッド、使い捨ておむつが挙げられる。
【００１９】
図１〜図３は実施形態に係る生理用ナプキン１の構成例を示す図である。ただし、図１は生理用ナプキン１を展開した状態を示す平面図であり、図２は図１のＩＩ−ＩＩ線に沿った断面図であり、図３は図１のＩＩＩ−ＩＩＩ線に沿った断面図である。本実施形態の生理用ナプキン１は、互いに直交する長手方向Ｌ、幅方向Ｗ及び厚さ方向Ｔを有する。図１に描かれた生理用ナプキン１では、上側及び下側をそれぞれ長手方向Ｌの前側及び後側とし、左側及び右側をそれぞれ幅方向Ｗの左側及び右側とし、紙面に対して手前側及び奥側をそれぞれ厚さ方向Ｔの上側及び下側とする。生理用ナプキン１は、幅方向Ｗの中心を通り長手方向Ｌに延びる長手方向中心線ＣＬ（仮想線）と、長手方向Ｌの中心を通り幅方向Ｗに延びる幅方向中心線ＣＷ（仮想線）とを有する。長手方向中心線ＣＬに向かう向き及び側をそれぞれ幅方向Ｗの内向き及び内側とし、遠ざかる向き及び側をそれぞれ幅方向Ｗの外向き及び外側とする。一方、幅方向中心線ＣＷに向かう向き及び側をそれぞれ長手方向Ｌの内向き及び内側とし、遠ざかる向き及び側をそれぞれ長手方向Ｌの外向き及び外側とする。長手方向Ｌ及び幅方向Ｗを含む平面上に置いた生理用ナプキン１を厚さ方向Ｔの上側から見ることを「平面視」といい、平面視で把握される形状を「平面形状」という。長手方向Ｌ及び幅方向Ｗを含む平面内の任意の方向を「平面方向」という。上に置いた装着者が生理用ナプキン１を装着したとき、厚さ方向Ｔにて相対的に装着者の肌面に近い側及び遠い側となる側を「肌側」及び「非肌側」という。これら定義は、生理用ナプキン１の各資材にも共通に用いられる。
【００２０】
本実施形態において、生理用ナプキン１（ウイング部を除く）は、平面視にて、長手方向Ｌに長く幅方向Ｗに短い略矩形で、長手方向Ｌの両端縁が略半円形の形状を有する。ただし、その形状は、長手方向Ｌに長く幅方向Ｗに短ければ特に制限されず、例えば角丸長方形、楕円形、砂時計型又はそれらに類似の形状が挙げられる。生理用ナプキン１は略矩形の部分から幅方向Ｗの外側に延出するウイング部６を備えており、ウイング部６は略台形の形状を有する。ただし、ウイング部６の形状は、例えば半円形や半楕円形でもよい。
【００２１】
生理用ナプキン１は、肌側の表面を構成する液透過性の表面シート２と、非肌側の表面を構成する液不透過性の裏面シート３と、表面シート２と裏面シート３との間に配置された液吸収性及び液保持性の吸収体４と、を備える。本実施形態では、吸収体４は、吸収性コア４ａとそれを被覆するコアラップ４ｂとを含む。生理用ナプキン１では、表面シート２の非肌側の面と吸収体４の肌側の面とは接着剤で接合され、吸収体４の非肌側の面と裏面シート３の肌側の面とは接着剤で接合され、表面シート２の非肌側の面の縁部（ウイング部６を含む）と裏面シート３の肌側の面の縁部（ウイング部６を含む）とは接着剤又は熱シールで接合される。なお、生理用ナプキン１は、複数の吸収体（又は複数の吸収性コア）が積層されてもよい。また、生理用ナプキン１は、更に、補助シート又は一対のサイドシート、を備えていてもよい。その場合、補助シートは、例えば表面シート２と吸収体４との間に配置され、一対のサイドシートの各々は、例えば表面シート２又は補助シートにおける非肌側の幅方向Ｗの両端部の各々に、幅方向Ｗの内側の端部が重なるように配置される。その場合、表面シート２又は補助シート及び一対のサイドシートと裏面シート３との間に吸収体４が位置する。更に、生理用ナプキン１は、裏面シート３の非肌側に外装シートを備えてもよい。本実施形態では、生理用ナプキン１は、更に固定部７、８を備える。
【００２２】
生理用ナプキン１は、平面視で、長手方向Ｌの中央やや前方寄りで幅方向Ｗの中央に排泄口当接域ＸＡが設定される。排泄口当接域ＸＡは、生理用ナプキン１の着用時に、着用者の排泄口に対向又は当接する領域である。排泄口当接域ＸＡは、吸収性物品の種類や用途に応じて設定される。排泄口当接域ＸＡは、長手方向Ｌにて吸収体４の中央やや前方寄りに、吸収体４の長手方向Ｌの全長の約１／４〜１／２の長さで、幅方向Ｗにて吸収体４の略中央に、吸収体４の幅方向Ｗの全長の約１／２〜１／３の幅で設定される。
【００２３】
本実施形態において、生理用ナプキン１は、平面視で、長手方向Ｌの前方から後方に向かって前方領域ＡＦ、中央領域ＡＣ及び後方領域ＡＢを有する。中央領域ＡＣは着用時に着用者の股間部に対向する領域であり、本実施形態では排泄口当接域ＸＡを含む。前方領域ＡＦ及び後方領域ＡＢはそれぞれ中央領域ＡＣの長手方向Ｌの前方及び後方側に隣接する領域である。
【００２４】
生理用ナプキン１は、後方領域ＡＢ（排泄口当接域ＸＡの長手方向Ｌの後方）に位置し、表面シート２及び吸収体４を一体化する圧搾部１４を備えている。圧搾部１４は、表面シート２と吸収体４とを厚さ方向Ｔに圧搾して溝状に形成されている。圧搾部１４は、平面視にて、長手方向中心線ＣＬに対して非対称な形状、すなわちハート形を有している。圧搾部１４は、長手方向中心線ＣＬと交差する、二つの交差部Ｐ１、Ｐ２を含んでいる。ただし、圧搾部１４の形状は、この例に制限されず、後方領域ＡＢに、長手方向中心線ＣＬに交差するように配置され、長手方向中心線ＣＬに対して非対称な形状（長手方向中心線ＣＬに対して線対称でない形状）で、長手方向中心線ＣＬと交差する、少なくとも一つの交差部を含んでいればよい。そのような圧搾部１４は、長手方向Ｌの後方へ向かう液状排泄物の流れを幅方向Ｗに拡げて、長手方向Ｌの両端部の領域を含む吸収体４の幅広い領域に液状排泄物を吸収させて、後方の端部からの液状排泄物の漏洩を抑制し得るので好ましい。また、非対称な形状は、生理用ナプキン１の製造時に、生理用ナプキン１の幅方向Ｗが搬送方向ＭＤと平行になるように搬送する場合、性能上問題ない程度に圧搾部１４が幅方向Ｗにずれたとき、そのずれを目立たないようにでき、好ましい。
【００２５】
圧搾部１４はそれら形を縁取る溝状又は点状の凹部として形成される。圧搾部１４の形状としては、平面視で、例えば曲線状、直線状、点状、それらの組み合わせ、円形、楕円形、多角形などが挙げられる。中でも、平面視で、ハート形（本実施形態）、円形、楕円形、多角形、星形、花形、葉形、顔形、生物外形のような環状の形状を有することが好ましい。排泄口当接域ＸＡから後方領域ＡＢに流れる液状排泄物をその内側に引き込んで外側に移行し難くすることができ、形状によっては、かわいらしさを付与して着用者の生理時の憂鬱な気分を和らげることができる。そのような環状の形状では、その一部に、環状の形状の内側又は外側へ凸となる少なくとも二つの部分を有し、両部分の間に屈曲点を有していてもよい。例えば、ハート形の圧搾部１４では、二つの外側に凸となる凸部分１４Ｑ１、１４Ｑ２を有し、両凸部分の間に屈曲点Ｒを有している。
【００２６】
本実施形態では、生理用ナプキン１は、更に、表面シート２と吸収体４とを厚さ方向Ｔに圧搾して溝状に形成された圧搾部１１〜１５を備える。一対の圧搾部１２、１２及び１３、１３は、排泄口当接域ＸＡの幅方向Ｗの両外側に位置し、連続的又は間欠的に延設されている。幅方向Ｗに拡散する液状排泄物を長手方向Ｌに拡散させるためである。圧搾部１１は、排泄口当接域ＸＡの長手方向Ｌの前方に位置し、環状に形成されている。長手方向Ｌの前方へ向かう液状排泄物の流れを幅方向Ｗに拡げて、後方の端部からの液状排泄物の漏洩を抑制するためである。圧搾部１５は、排泄口当接域ＸＡ内に位置し、点状に形成されている。液状排泄物を厚さ方向Ｔに拡散させるためである。圧搾部１２、１３、１５は中央領域ＡＣ、圧搾部１１は前方領域ＡＦにそれぞれ位置する。なお、圧搾部１１〜１３、１５の形状は、排泄口当接域ＸＡに排泄された液状排泄物をより広範囲に拡散させ得る形状であれば、特に制限はない。また、生理用ナプキン１は、圧搾部１１〜１３、１５の少なくとも一つを備えていなくてもよい。
【００２７】
吸収体４は、液吸収性能及び液保持性能を有する層であり、本実施形態では、平面視で長手方向Ｌに長く、長手方向Ｌの両端部が略半円形の形状を有する。吸収体４は、剛性が相対的に低い低剛性部ＬＢと、低剛性部ＬＢ以外の部分、すなわち剛性が相対的に高い高剛性部ＨＢと、を備えている。
【００２８】
吸収体４の低剛性部ＬＢは、平面視で、後方領域ＡＢにて、長手方向Ｌに沿って、長手方向中心線ＣＬと重なるように延設された長手方向低剛性部ＬＢ５を含んでいる。そして、長手方向低剛性部ＬＢ５は、平面視にて、交差部Ｐ１、Ｐ２（圧搾部１４における長手方向中心線ＣＬと交差する部分）のうちの中央領域ＡＣ側の交差部Ｐ１を、長手方向Ｌに沿って跨ぐように延設されている。本実施形態では、長手方向低剛性部ＬＢ５は、帯状又は矩形状に長手方向Ｌに沿い、排泄口当接域ＸＡの近傍から長手方向Ｌの端縁まで形成され、長手方向Ｌ前方に位置する前方低剛性部ＬＢ５ａと、後方に位置する後方低剛性部ＬＢ５ｂと、を含んでいる。ただし、長手方向低剛性部ＬＢ５は、この例に制限されず、平面視にて、圧搾部１４の交差部のうちの中央領域ＡＣ側の交差部を、長手方向Ｌに沿って跨ぐように延設されていればよい。それにより、吸収体４の変形に際し、圧搾部１４よりも長手方向低剛性部ＬＢ５を基点にさせ易くできる。
【００２９】
本実施形態では、長手方向低剛性部ＬＢ５は、長手方向Ｌにおいて、少なくとも、長手方向中心線ＣＬにおける、長手方向中心線ＣＬと圧搾部１４とが幅方向Ｗに重なる範囲に形成されている。例えば、図１に示すように、圧搾部１４は、長手方向中心線ＣＬに射影される場合、長手方向中心線ＣＬの点Ｚ１から点Ｚ２の範囲に射影される。したがって、長手方向低剛性部ＬＢ５は、少なくとも、長手方向中心線ＣＬにおける、長手方向中心線ＣＬが圧搾部１４の射影と重なる範囲、すなわち点Ｚ１から点Ｚ２の範囲に形成されている。そして、長手方向低剛性部ＬＢ５の長手方向Ｌの寸法（長さ）は、少なくとも点Ｚ１から点Ｚ２までの寸法（長さ）以上である。それにより、圧搾部１４の影響を抑制しつつ、長手方向低剛性部ＬＢ５を基点に吸収体４を変形させることができる。
【００３０】
本実施形態では、長手方向低剛性部ＬＢ５の幅方向Ｗの寸法（幅）は、圧搾部１４の幅の寸法（太さ）よりも大きい。例えば、図３に示すように、長手方向低剛性部ＬＢ５（前方低剛性部ＬＢ５ａ）の幅方向Ｗの寸法Ｄ１は、圧搾部１４の幅の寸法Ｄ２よりも大きい。それにより、圧搾部１４を基点とした吸収体４の変形よりも、長手方向低剛性部ＬＢ５を基点とした吸収体４の変形を生じ易くできる。
【００３１】
本実施形態において、吸収体４の低剛性部ＬＢは、平面視で、後方領域ＡＢにて、長手方向低剛性部ＬＢ５における幅方向Ｗの両側に、長手方向低剛性部ＬＢ５から離間するように、幅方向中心線ＣＷに平行に延設された幅方向低剛性部ＬＢ４、ＬＢ４を更に含んでいる。ただし、幅方向Ｗの両側に長手方向低剛性部ＬＢ５から離間する、とは、長手方向低剛性部ＬＢ５から幅方向Ｗに平行に離間する場合だけでなく、幅方向Ｗに平行に離間し、かつ、長手方向低剛性部ＬＢ５の長さの約１／３範囲で、長手方向低剛性部ＬＢ５における長手方向Ｌの内側端縁から長手方向Ｌに離れた範囲（ただし、排泄口当接域ＸＡに達しない範囲）で離間する場合を含む。長手方向低剛性部ＬＢ５の長さの約１／３範囲とは、長手方向低剛性部ＬＢ５での山折りの及び易い範囲である。また、幅方向低剛性部ＬＢ４と長手方向低剛性部ＬＢ５とを離間させる距離としては、例えば、吸収体４における幅方向Ｗの幅の１／１０〜１／２が挙げられ、１／８〜１／４が好ましい。ただし吸収体４における幅方向Ｗの幅は、長手方向Ｌにおける幅方向低剛性部ＬＢ４の位置での幅とする。この場合、長手方向低剛性部ＬＢ５と幅方向低剛性部ＬＢ４、ＬＢ４との間には、それら低剛性部ＬＢ４、ＬＢ５よりも剛性が高い高剛性部ＨＢＳ、ＨＢＳが形成されている。
【００３２】
本実施形態において、吸収体４の低剛性部ＬＢは、更に、幅方向中心線ＣＷに平行に延設された幅方向低剛性部ＬＢ１〜ＬＢ３、ＬＢ６を含んでいる。幅方向低剛性部ＬＢ１は、吸収体４において、前方領域ＡＦと中央領域ＡＣとの境界近傍の中央領域ＡＣに、所定幅で幅方向Ｗに延在するように位置している。前方領域ＡＦを体に沿わせるためである。幅方向低剛性部ＬＢ２、ＬＢ２は、吸収体４において、それぞれ中央領域ＡＣおける幅方向Ｗの中央部（排泄口当接域ＸＡ）を除く両側に、所定幅で幅方向Ｗに延在するように位置している。幅方向低剛性部ＬＢ３、ＬＢ３は、吸収体４において、それぞれ中央領域ＡＣにおける幅方向Ｗの中央部（排泄口当接域ＸＡ）を除く両側に、所定幅で幅方向Ｗに延在し、低剛性部ＬＢ２、ＬＢ２の長手方向Ｌの後方に間隔を空け位置している。中央領域ＡＣを体に沿わせるためである。幅方向低剛性部ＬＢ６は、吸収体４において、後方領域ＡＢの長手方向Ｌの略中央部に、所定幅で幅方向Ｗに延在するように位置している。後方領域ＡＢを体に沿わせるためである。
【００３３】
本実施形態では、各低剛性部ＬＢ１〜ＬＢ４、ＬＢ６は、いずれも吸収体４における幅方向Ｗの端縁に達するように位置している。なお、各低剛性部ＬＢ１〜ＬＢ４、ＬＢ６の少なくとも一つが吸収体４の端縁に達していなくてもよい。また、前方低剛性部ＬＢ５ａでは、長手方向Ｌの前方の端部が幅方向低剛性部ＬＢ４、ＬＢ４間に延び、後方の端部が幅方向低剛性部ＬＢ６に連結している。なお、前方の端部が幅方向低剛性部ＬＢ４、ＬＢ４間まで延びなくてもよく、後方の端部が幅方向低剛性部ＬＢ６に連結していなくてもよい。また、後方低剛性部ＬＢ５ｂでは、長手方向Ｌの前方の端部が幅方向低剛性部ＬＢ６に連結し、後方の端部が吸収体４の端縁に達している。なお、前方の端部が幅方向低剛性部ＬＢ６に連結しなくてもよく、後方の端部が吸収体４の端縁に達しなくてもよい。
【００３４】
一方、本実施形態では、高剛性部ＨＢとして、高剛性部ＨＢ１〜ＨＢ４を含む。高剛性部ＨＢ１は、吸収体４において、幅方向低剛性部ＬＢ１よりも長手方向Ｌの前方に位置している。高剛性部ＨＢ２は、吸収体４において、長手方向Ｌにおける幅方向低剛性部ＬＢ１と幅方向低剛性部ＬＢ６との間に位置している（幅方向低剛性部ＬＢ２、ＬＢ３を除く）。高剛性部ＨＢ３、ＨＢ４は、吸収体４において、幅方向低剛性部ＬＢ６よりも長手方向Ｌの後方における、幅方向低剛性部５の幅方向Ｗの左側及び右側に位置している。高剛性部ＨＢＳ、ＨＢＳは、高剛性部ＨＢ２における幅方向低剛性部ＬＢ４、ＬＢ４間、又は、幅方向低剛性部ＬＢ４、ＬＢ４と前方低剛性部ＬＢ５ａとの間に位置している。
【００３５】
本実施形態において、各低剛性部ＬＢは、吸収体４を構成する液吸収性及び液保持性の吸収性材料、例えば親水性繊維や高吸収性ポリマーの坪量が相対的に低い部分であり、低坪量部ということができる。一方、高剛性部ＨＢは、吸収体４を構成する吸収性材料の坪量が相対的に高い部分であり、高坪量部ということができる。その場合、例えば、図３に示すように、長手方向低剛性部ＬＢ５（前方低剛性部ＬＢ５ａ）や、幅方向低剛性部ＬＢ４は相対的に厚さが薄く、高剛性部ＨＢＳは相対的に厚さが厚い。そして、生理用ナプキン１における吸収体４の低坪量部に対応する部分（位置）は、高坪量部に対応する部分（位置）よりも剛性が低いため、相対的に折り曲げ容易である。
【００３６】
吸収体の坪量は以下の方法で測定した。（１）シートから５ｍｍ×１０ｍｍの大きさの部分を切り出して試料とした。（２）試料を１００℃以上の空気雰囲気で乾燥した。（３）試料の質量を測定した。（４）質量の測定値を試料の面積で割り算して試料の坪量を算出した。（５）１０個の試料の坪量を平均した値をシートの坪量とした。
【００３７】
ただし、低剛性部ＬＢは、この例に限定されず、例えば吸収体４に厚さ方向Ｔに少なくとも一つの切り込み（例示：ハーフカット、フルカット）を入れた部分や、吸収体４における吸収性材料の密度が相対的に低い部分などにより実現可能である。その場合、高剛性部ＨＢは、吸収体４に切り込みが無い部分や、吸収体４における吸収性材料の密度が高い部分である。
【００３８】
本実施形態では、圧搾部１１〜１５は、弱く圧搾されて、浅い位置に形成され、繊維密度が相対的に低い低密度部ＬＰＡと、強く圧搾されて、深い位置に形成され、繊維密度が相対的に高い高密度部ＨＰＡとを有する。ただし、「浅い」及び「深い」の基準は、表面シート２の肌側の表面とする。低密度部ＬＰＡ及び高密度部ＨＰＡは、各圧搾部における浅い位置の底部及び深い位置の底部、ということができる。圧搾部１１〜１５の低密度部ＬＰＡ及び高密度部ＨＰＡは、吸収体４の吸収性コア４ａ内に位置する。ただし、高密度部ＨＰＡは非肌側のコアラップ４ｂに達してもよい。例えば、図３に示すように、圧搾部１４は、幅方向低剛性部ＬＢ４及び長手方向低剛性部ＬＢ５（前方低剛性部ＬＢ５ａ）において、浅い位置に形成された低密度部ＬＰＡ及び深い位置に形成された高密度部ＨＰＡを有する。
【００３９】
本実施形態において、吸収体４における交差部Ｐ１に対応する非肌面側の表面に、肌側に向かって窪んだ窪み部ＢＴＡを有する。例えば、図３に示すように、長手方向低剛性部ＬＢ５（前方低剛性部ＬＢ５ａ）において、圧搾部１４が長手方向中心線ＣＬ（図３では長手方向中心線ＣＬを含む幅方向Ｗに垂直な平面ＦＴ）と交差する交差部Ｐ１に対応する非肌面側の表面に、肌側に向かって窪んだ窪み部ＢＴＡが形成されている。したがって、交差点Ｐ１が、前方低剛性部ＬＢ５ａに位置し、圧搾部１４に位置し、かつ、窪み部ＢＴＡに位置しているので、吸収体４は、交差点Ｐ１を起点として変形し易くなっている。
【００４０】
本実施形態において、各低剛性部ＬＢの厚さは例えば０．８〜２０ｍｍが挙げられ、各高剛性部ＨＢの厚さは、例えば１〜３０ｍｍが挙げられる。各低密度部ＬＰＡの裏面シート３からの高さは、例えば０．３〜１０ｍｍが挙げられ、各高密度部ＨＰＡの裏面シート３からの高さは、例えば０．２〜９ｍｍが挙げられ、各窪み部ＢＴＡの裏面シート３からの高さは、例えば０．２〜４ｍｍが挙げられる。
【００４１】
なお、上述された各高剛性部、各低剛性部、各圧搾部の数や位置や形状は例示であり、本考案は、その例に限定されるものではない。
【００４２】
表面シート２、吸収体４、裏面シート３、補助シート及び固定部７、８の材料としては、生理用ナプキン１で一般的に用い得る公知の材料を使用できる。表面シート２の材料としては、例えば不織布、織布、液透過孔が形成された合成樹脂フィルム、これらの複合シートが挙げられる。不織布としては、例えば天然繊維（例示：コットン）、再生繊維、無機繊維、合成樹脂繊維等が挙げられる。表面シート２の坪量としては、例えば５ｇ／ｍ２〜１００ｇ／ｍ２が挙げられ、２０ｇ／ｍ２〜５０ｇ／ｍ２が好ましい。表面シート２の厚さとしては、例えば０．２〜５ｍｍが挙げられる。吸収体４の材料としては、例えばパルプ繊維や合成繊維のような吸水性繊維、高吸収性ポリマー（ＳＡＰ）が挙げられる。吸収体４の繊維の坪量としては、例えば５〜１０００ｇ／ｍ２が挙げられる。このうち、高剛性部（高坪量部）ＨＢの坪量は、例えば１５０〜１０００ｇ／ｍ２が挙げられ、吸収性の観点及び装着性の観点から３００〜６００ｇ／ｍ２が好ましい。一方、低剛性部（低坪量部）ＬＢの坪量は、例えば５０〜３００ｇ／ｍ２が挙げられ、吸収性の観点及び変形性の観点から５０〜１５０ｇ／ｍ２が好ましい。高吸収性ポリマーの坪量は、例えば０〜５００ｇ／ｍ２が挙げられ、１０〜４００ｇ／ｍ２が好ましい。吸収体４の厚さは、例えば１〜４０ｍｍが挙げられ、５〜３０ｍｍが好ましい。吸収体４が吸収性コアとコアラップとを備える場合、吸収性コアの材料としては、吸水性繊維及び高吸収性ポリマーが挙げられ、コアラップの材料としては、ティッシュのような液透過性の親水性繊維が挙げられる。裏面シート３の材料としては、例えば防水処理を施した不織布、合成樹脂フィルム、不織布と合成樹脂フィルムの複合シート、ＳＭＳ不織布等が挙げられる。補助シートの材料としては、例えば不織布、パルプ繊維、合成繊維が挙げられる。固定部７、８の材料としては、例えばスチレン−ブタジエン共重合体のような粘着剤が挙げられる。各資材間の接合用の接着剤としては、生理用ナプキン１で用い得る公知の材料、例えばホットメルト接着剤が使用できる。
【００４３】
次に、本実施形態に係る生理用ナプキン１の作用効果について説明する。図４は、実施形態に係る生理用ナプキン１の作用効果を説明する模式図である。図４（ａ）は、実施形態の生理用ナプキン１とは異なり、吸収体４に長手方向低剛性部ＬＢ５を有さない生理用ナプキン１ａの後方領域ＡＢを示す。一方、図４（ｂ）は、実施形態の生理用ナプキン１であり、吸収体４に長手方向低剛性部ＬＢ５を有する生理用ナプキン１の後方領域ＡＢを示す。
【００４４】
図４（ａ）を参照して、生理用ナプキン１ａでは、後方領域ＡＢに圧搾部１４が形成されているので、中央領域ＡＣから後方領域ＡＢへ移行してきた液状排泄物が後方領域ＡＢの端部から漏れることを抑制できる可能性はある。ここで、後方領域ＡＢの圧搾部１４は長手方向中心線ＣＬに対して非対称であるため、後方領域ＡＢは、圧搾部１４の形状における屈曲点同士を結んだ直線Ｑ１に沿って折れ易い特性を有する。そのため、着用時に、中央領域ＡＣ及び後方領域ＡＢが表面シート２側から見て山折りの状態になるとき、圧搾部１４の屈曲点同士を結んだ直線Ｑ１に沿って後方領域ＡＢが折れて、山折りが形成されるおそれがある。すなわち、山折りの折線は、圧搾部１４の非対称な形状に影響されて長手方向中心線ＣＬからずれるおそれがある。そうなると、山折りの頂部が臀部の割れ目からずれてしまい、着用者が違和感や不快感を覚えるなどフィット性が低下するすると共に、液状排泄物の漏れが生じるおそれがある。
【００４５】
しかし、図４（ｂ）を参照して、本実施形態の生理用ナプキン１では、後方領域ＡＢに圧搾部１４が形成されているので、中央領域ＡＣから後方領域ＡＢへ移行してきた液状排泄物が後方領域ＡＢの端部から漏れることを抑制できる。ここで、後方領域ＡＢの圧搾部１４は長手方向中心線ＣＬに対して非対称である。しかし、長手方向低剛性部ＬＢ５が圧搾部１４の交差部を長手方向Ｌに沿って跨ぐように、すなわち平面視で交差点と重なるように延設されており、かつ、長手方向低剛性部ＬＢ５は相対的に剛性が低い。そのため、後方領域ＡＢは、圧搾部１４の形状における屈曲点同士を結んだ直線ではなく、長手方向低剛性部ＬＢ５に沿って、すなわち図中の直線Ｑ２に沿って幅方向Ｗに折れ易い特性を有する。そのため、着用時に、中央領域ＡＣ及び後方領域ＡＢが表面シート２側から見て山折りの状態になるとき、圧搾部１４の交差部を跨ぐ長手方向低剛性部ＬＢ５に沿って、すなわち直線Ｑ２に沿って後方領域ＡＢが折れて、山折りが形成される。したがって、長手方向中心線ＣＬに沿った山折りを形成することができる。それにより、山折りの頂部を臀部の割れ目の位置にすることができ、フィット性を向上できると共に、後方領域の端部からの液状排泄物の漏れを抑制できる。
【００４６】
本実施形態では好ましい態様として、長手方向低剛性部ＬＢ５は、長手方向Ｌにおいて、少なくとも、長手方向中心線ＣＬにおける、長手方向中心線ＣＬと圧搾部１４とが幅方向Ｗに重なる範囲に形成されている。すなわち、長手方向低剛性部ＬＢ５は、長手方向中心線ＣＬにおける圧搾部１４の射影の範囲、すなわち点Ｚ１から点Ｚ２の間の範囲を含むように形成されている。言い換えると、長手方向低剛性部ＬＢ５は、圧搾部１４が存在する領域の長手方向Ｌの最大幅の範囲に形成されている。このように、長手方向低剛性部ＬＢ５が十分に長いため、圧搾部１４の形状に拘わらず、長手方向中心線ＣＬに沿った山折りを安定的に形成することができる。それにより、フィット性をより向上できる。
【００４７】
本実施形態では好ましい態様として、長手方向低剛性部ＬＢ５は、吸収体４における坪量が相対的に低い低坪量部で形成されている。そのため、後方領域ＡＢを、長手方向低剛性部ＬＢ５にて長手方向Ｌに沿って幅方向Ｗに容易に山折りに折ることができる。それにより、長手方向低剛性部ＬＢ５において山折りをより安定的に形成することができ、フィット性をより向上できる。
【００４８】
本実施形態では好ましい態様として、後方領域ＡＢにおいて、長手方向低剛性部ＬＢ５における幅方向Ｗの両側に、長手方向低剛性部ＬＢ５から離間するように、幅方向中心線ＣＷに平行に延設され、剛性が相対的に低い幅方向低剛性部ＬＢ４、ＬＢ４を備えている。その作用効果は以下のとおりである。図５は、実施形態に係る生理用ナプキン１の作用効果を説明する模式図である。図５（ａ）は、実施形態の生理用ナプキン１とは異なり、長手方向低剛性部ＬＢ５から離間せずに連結した幅方向低剛性部ＬＢ４’を有する生理用ナプキン１ａの後方領域ＡＢを示す。一方、図５（ｂ）は、実施形態の生理用ナプキン１であり、長手方向低剛性部ＬＢ５から離間した幅方向低剛性部ＬＢ４、ＬＢ４を有する生理用ナプキン１の後方領域ＡＢを示す。
【００４９】
生理用ナプキン１ａでは、長手方向中心線ＣＬに沿った山折りが後方領域ＡＢに形成されると、山折りの程度によっては後方領域ＡＢの端部が臀部の曲面から離れるおそれがある。それに対処するためには、例えば、図５（ａ）を参照して、後方領域ＡＢの端部が臀部の曲面から離れないように、後方領域ＡＢにおいて、幅方向Ｗの一方の端縁から他方の端縁まで、幅方向中心線ＣＷに平行に連続的に幅方向低剛性部ＬＢ４’を形成することが考え得る。この場合、幅方向低剛性部ＬＢ４’により、後方領域ＡＢの端部を臀部の曲面に沿わせることができる。ただし、着用者の姿勢や動きによっては、その幅方向低剛性部ＬＢ４’よりも後方側の部分の動きが大きくなり、幅方向低剛性部ＬＢ４’がへたってしまう可能性がある。そのような場合、例えば、幅方向低剛性部ＬＢ４’における幅方向Ｗの一方側（例示：右側）の部分が大きく中央領域ＡＣ側へ縮こまり（図中、矢印Ｙ１）、長手方向中心線ＣＬが幅方向Ｗの右側へ傾いて長手方向中心線ＣＬ’のようずれるおそれがある（図中、矢印Ｋ１）。そうなると、後方領域ＡＢの山折りが長手方向中心線ＣＬからずれるおそれがある。
【００５０】
しかし、図５（ｂ）を参照して、本実施形態の生理用ナプキン１では、後方領域ＡＢの端部が臀部の曲面から離れないように、後方領域ＡＢにおいて、長手方向低剛性部ＬＢ５の幅方向Ｗの両側に、長手方向低剛性部ＬＢ５から離間するように幅方向中心線ＣＷに沿って延びる幅方向低剛性部ＬＢ４、ＬＢ４を形成している。幅方向低剛性部ＬＢ４、ＬＢ４により、後方領域ＡＢを臀部の曲面に沿ってより曲げ易くなり、後方領域ＡＢをその端部まで臀部に接するようにすることができる。それに加えて、長手方向低剛性部ＬＢ５と幅方向低剛性部ＬＢ４、ＬＢ４との間が離間すること、すなわち両者の間に高剛性部ＨＢＳ、ＨＢＳが存在することにより、幅方向低剛性部ＬＢ４、ＬＢ４がへたることを抑制できる。それにより、幅方向低剛性部ＬＢ４、ＬＢ４よりも後方側の部分の山折りが長手方向中心線ＣＬからずれないようにすることができる。それらにより、着用者の姿勢や動きに拘わらず、フィット性をより向上できると共に、後方領域ＡＢの端部からの液状排泄物の漏れをより抑制できる。
【００５１】
ここで、高剛性部ＨＢＳ、ＨＢＳは、長手方向Ｌの前方の部分が排泄口当接域ＸＡに連続的に到達し、長手方向Ｌの後方の部分が幅方向低剛性部ＬＢ４、ＬＢ４を超えて後方へ連続的に延びるように形成されていることが好ましい。更に、高剛性部ＨＢＳ、ＨＢＳの長手方向Ｌの前方の部分が連結して、全体として長手方向低剛性部ＬＢ５を三方から囲むように逆Ｕ字型に形成されることがより好ましい。それにより、幅方向低剛性部ＬＢ４、ＬＢ４により幅後方領域ＡＢを臀部の曲面に沿って曲げ易くしてフィット性を向上させつつ、排泄口当接域ＸＡの液状排泄物を高剛性部ＨＢＳ、ＨＢＳ（ＨＢ２）内において長手方向Ｌの後方へ向かって拡散させることができ、後方領域ＡＢを液状排泄物の吸収に有効に利用できる。
【００５２】
圧搾部１４は、平面視で、吸収体４における幅方向Ｗの両端縁に、他の圧搾部に介さずに対向していることが好ましい。すなわち、圧搾部１４と吸収体４における幅方向Ｗの両端縁との間に、他の圧搾部を有さないことが好ましい。圧搾部１４と吸収体４における幅方向Ｗの両端縁との間に他の圧搾部を有さないことで、幅方向低剛性部ＬＢ４、ＬＢ４による後方領域ＡＢを臀部の曲面に沿って曲げ易くする効果を維持し易く、後方領域ＡＢをその臀部にフィットし易くすることできる。
【００５３】
本実施形態では好ましい態様として、幅方向低剛性部ＬＢ４、ＬＢ４は、吸収体４における坪量が相対的に低い他の低坪量部で形成されている。そのため、後方領域ＡＢをより安定的に臀部に沿わせることができ、長手方向低剛性部ＬＢ５と幅方向低剛性部ＬＢ４、ＬＢ４との間の高剛性部ＨＢＳ、ＨＢＳにより、幅方向低剛性部ＬＢ４、ＬＢ４がへたることをより抑制できる。それにより、フィット性をより向上できる。
【００５４】
本実施形態では好ましい態様として、長手方向低剛性部ＬＢ５の幅方向Ｗの寸法は、圧搾部１４の幅の寸法よりも大きい。それにより、長手方向低剛性部ＬＢ５において山折りを形成するとき、圧搾部１４の形状の影響をより受け難くすることができる。それにより、長手方向低剛性部ＬＢ５において山折りをより安定的に形成することができる。それにより、フィット性をより向上できる。
【００５５】
本実施形態では好ましい態様として、圧搾部１４は、平面視で、環状の形状を有する。それゆえ、液状排泄物をその内側に引き込んで外側に移行し難くすることができ、それにより、長手方向Ｌの後方側の端部からの液状排泄物の漏洩をより抑制することができる。ただし、そのとき、圧搾部１４の環状の領域の剛性が高くなり、後方領域ＡＢが山折りの状態になり難くなるとも考え得る。しかし、生理用ナプキン１では、後方領域ＡＢが長手方向低剛性部ＬＢ５を備えており、圧搾部１４の領域の剛性の影響を受け難いため、後方領域ＡＢを山折りの状態にすることができる。それらにより、フィット性をより向上できると共に、後方領域ＡＢの端部からの液状排泄物の漏れをより抑制できる。
【００５６】
本実施形態では好ましい態様として、圧搾部１４は、環状の形状の一部に、環状の形状の内側又は外側へ凸となる少なくとも二つの凸部分１４Ｑ１、１４Ｑ２を有する。その場合、一方の凸部分１４Ｑ１と、他方の凸部分１４Ｑ２との間に屈曲点が生じ得る。そのような圧搾部の屈曲点は山折りの基点になり易く、それゆえ、山折りの折線が長手方向中心線ＣＬからずれるおそれがある。しかし、生理用ナプキン１ででは、後方領域ＡＢが長手方向低剛性部ＬＢ５を備えており、圧搾部１４の屈曲点の影響を受け難いため、山折りの折線が長手方向中心線ＣＬに沿うような山折りの状態にすることができる。それらにより、フィット性をより向上できると共に、後方領域ＡＢの端部からの液状排泄物の漏れをより抑制できる。
【００５７】
本実施形態では好ましい態様として、吸収体４における交差部Ｐ１に対応する非肌面側の表面に、肌側に向かって窪んだ窪み部ＢＴＡを有する。それゆえ、吸収体４を臀部に沿って上に凸に変形し易く、後方領域ＡＢをより容易に山折りの状態にすることができる。それにより、フィット性をより向上できると共に、後方領域ＡＢの端部からの液状排泄物の漏れをより抑制できる。
【００５８】
次に、本実施形態に係る生理用ナプキン１の製造方法について説明する。図６は、生理用ナプキン１の製造装置３００の構成例を示す模式図である。この例では、生理用ナプキン１の長手方向Ｌが搬送方向ＭＤとなるようにして各資材が形成され、搬送される。ただし、生理用ナプキン１の幅方向Ｗが搬送方向ＭＤとなるようにして各資材が形成され、搬送されてもよい。
【００５９】
まず、回転ドラム１１１が回転され、材料供給器１１３から供給された積繊材料が、パターンプレート１１２の負圧室１１１Ｎに連通した溝内に堆積し、溝内に積繊体ＡＢが形成される。ここで、パターンプレート１１２の溝には、深い溝、すなわち高剛性部（高坪量部）ＨＢ形成用の溝と、浅い溝、すなわち低剛性部（低坪量部）ＬＢ形成用の溝とが形成されている。そして、積繊材料が、深い溝に堆積されることで高剛性の部分が形成され、浅い溝に堆積されることで低剛性の部分が形成される。次に、パターンプレート１１２が積繊体ＡＢと共に正圧室１１１Ｐに到達すると、積繊体ＡＢがパターンプレート１１２から離脱される。一方、連続シート状の上層ティッシュシートＵＴがロールＷＲ１から搬送ベルト１１５に供給される。上層ティッシュシートＵＴの一方の面には塗布装置３０１によりホットメルト接着剤が塗布されている。そして、積繊体ＡＢは、搬送ベルト１１５上の上層ティッシュシートＵＴの一方の面の上に押し付けられる。それにより、積繊体ＡＢと上層ティッシュシートＵＴとが積層された第１半製品Ｐ１が形成される。第１半製品Ｐ１はサクション装置１１６で吸引されつつ、搬送ベルト１１５で搬送される。
【００６０】
次に、連続シート状の下層ティッシュシートＬＴがロールＷＲ２から搬送ベルト１１５に供給される。下層ティッシュシートＬＴの一方の面には塗布装置３０２によりホットメルト接着剤が塗布されている。下層ティッシュシートＬＴの一方の面が搬送ベルト１１５上の第１半製品Ｐ１に押し付けられる。それにより、下層ティッシュシートＬＴと第１半製品Ｐ１（積繊体ＡＢと上層ティッシュシートＵＴ）とが積層された第２半製品Ｐ２が形成される。次に、第２半製品Ｐ２は押圧装置１２０で押圧され、切断装置１３０で吸収体４の形状に切断される。それにより第３半製品Ｐ３が形成される。第３半製品Ｐ３は、実質的には吸収体４（ただし、低剛性部ＬＢ、高剛性部ＨＢを有するが圧搾部を有さない）であり、積繊体ＡＢが吸収性コアであり、上層・下層ティッシュシートＵＴ・ＬＴがコアラップである。第３半製品Ｐ３は、搬送ロール１４１へ受け渡される。
【００６１】
次いで、連続シート状の表面シートＴＳがロールＷＲ３から搬送ベルト１４０に供給される。表面シートＴＳの一方の面に塗布装置３０３によりホットメルト接着剤が塗布される。搬送ロール１４１から供給される第３半製品Ｐ３は、表面シートＴＳの一方の面に押し付けられる。それにより、第３半製品Ｐ３（吸収体４）と表面シートＴＳとが積層された積層体である第４半製品Ｐ４が形成される。第４半製品Ｐ４は搬送ベルト１４０で圧搾装置１５０へ供給される。
【００６２】
次いで、第４半製品Ｐ４が圧搾装置１５０の一対の第１ロール１５１及び第２ロール１５２に圧搾され、複数の圧搾部１１〜１４が同時に形成される。更に、第４半製品Ｐ４が圧搾装置１６０の一対の第１ロール１６１及び第２ロール１６２に圧搾され、複数の圧搾部１５が形成される。それにより、複数の圧搾部１１〜１５を備える第５半製品Ｐ５が形成される。このとき、表面シートＴＳのテンションや表面シートＴＳ及びホットメルト接着剤の坪量等を制御することにより、第５半製品Ｐ５における圧搾部１１〜１５と反対側の面には、窪み部ＢＴＡが形成される。第５半製品Ｐ５は搬送ロール１７０に受け渡される。なお、圧搾部１１〜１４はそれぞれ別の圧搾装置で形成してもよい。
【００６３】
次いで、連続シート状の裏面シートＢＳがロールＷＲ４から搬送ロール１７１に供給される。裏面シートＢＳの一方の面には塗布装置３０４によりホットメルト接着剤が塗布される。搬送ロール１７１から供給される裏面シートＢＳは、第５半製品Ｐ５の一方の面に搬送ロール１７０上で押し付けられる。それにより、第５半製品Ｐ５と裏面シートＢＳとが積層された第６半製品Ｐ６が形成される。続いて、第６半製品Ｐ６が周囲切断装置１８０により周囲部分を切断され、生理用ナプキン１の形状に分離される。それにより第７半製品Ｐ７が形成される。第７半製品Ｐ７は、実質的に生理用ナプキン１（図１）である。
【００６４】
以上のようにして、生理用ナプキン１が製造される。
【００６５】
図７は、実施形態に係る生理用ナプキン１の他の構成例を示す図である。図１の実施形態に係る生理用ナプキン１と比較すると、図７の実施形態に係る生理用ナプキン１は、圧搾部１１、１４の形状が相違する。すなわち、図１の生理用ナプキン１の圧搾部１１、１４はいずれも単一のハートの形状を有するが、図７の生理用ナプキン１の圧搾部１１、１４はいずれも単一の綿花（コットン）の形状を有する。この場合にも、図７の生理用ナプキン１は、図１の生理用ナプキン１と同様の作用効果を奏することができる。
【００６６】
図８は、実施形態に係る生理用ナプキン１の更に他の構成例を示す図である。図１の実施形態に係る生理用ナプキン１と比較すると、図８の実施形態に係る生理用ナプキン１は、圧搾部１１、１４の形状が相違する。すなわち、図１の生理用ナプキン１の圧搾部１１、１４はいずれも単一のハートの形状を有するが、図８の生理用ナプキン１の圧搾部１１は単一の綿花（コットン）の形状を有し、圧搾部１４は二つの綿花（コットン）の形状を有する。この場合にも、図８の生理用ナプキン１は、図１の生理用ナプキン１と同様の作用効果を奏することができる。
【００６７】
本考案の吸収性物品は、上記の実施形態に制限されず、本考案の目的、趣旨を逸脱しない範囲内で、実施形態同士を組み合わせたり、変更したりすること等が可能である。
【符号の説明】
【００６８】
１    生理用ナプキン（吸収性物品）
２    表面シート
４    吸収体
１４    圧搾部
ＡＣ    中央領域
ＡＢ    後方領域
Ｐ１、Ｐ２    交差部
ＬＢ５    長手方向低剛性部
【図１】
0003222875.tif 000003
【図２】
0003222875.tif 000004
【図３】
0003222875.tif 000005
【図４】
0003222875.tif 000006
【図５】
0003222875.tif 000007
【図６】
0003222875.tif 000008
【図７】
0003222875.tif 000009
【図８】
0003222875.tif 000010